(57)【要約】【課題】本体部と栓体部とを連結する連結部の白化を抑制することができるシャントキャップを提供することを目的とする。【解決手段】シャントキャップ３０は、基端３１ｂがチューブ２ａの終端部２ｃに接続されると共に、チューブ２ａに連通する管状の本体部３１と、本体部３１の先端３１ａを包囲する筒状部３３ｈを有し、当該先端３１ａに取り付けられる栓体部３３と、本体部３１と筒状部３３ｈとを連結する連結部３５と、を備え、栓体部３３が先端３１ａから取り外され、本体部３１の管軸Ａ１と筒状部３３ｈの筒軸Ａ３とが平行になるように配置された状態において、連結部３５は、本体部３１から先端３１ａ側に傾斜して延出した本体部側部分４１と、栓体部３３から先端３１ａ側に傾斜して延出した栓体部側部分４３と、本体部側部分４１と栓体部側部分４３との間に位置し、基端３１ｂ側を凸にして湾曲する中間湾曲部分４５と、を有することを特徴とする。【選択図】図４
2015073829.tif 000002
【特許請求の範囲】
【請求項１】
チューブの終端部に取り付けられるシャントキャップであって、
基端が前記終端部に接続されると共に、前記チューブに連通する管状の本体部と、
前記本体部の先端を包囲する筒状部を有し、当該先端に取り付けられる栓体部と、
前記本体部の外側面と前記筒状部の外側面とを連結する連結部と、を備え、
前記栓体部が前記先端から取り外され、前記本体部の管軸と前記筒状部の筒軸とが平行になるように配置された状態において、
前記連結部は、
前記本体部の外側面から前記先端側に傾斜して延出した本体部側部分と、
前記栓体部の前記筒状部の外側面から前記先端側に傾斜して延出した栓体部側部分と、
前記本体部側部分と前記栓体部側部分との間に位置し、前記基端側を凸にして湾曲する中間湾曲部分と、を有することを特徴とするシャントキャップ。
【請求項２】
前記連結部は、
前記本体部側部分と前記中間湾曲部分との間に位置し、前記基端側を凸にして前記中間湾曲部分よりも小さい曲率半径で湾曲する第１湾曲部分と、
前記栓体部側部分と前記中間湾曲部分との間に位置し、前記基端側を凸にして前記中間湾曲部分よりも小さい曲率半径で湾曲する第２湾曲部分と、を有することを特徴とする請求項１に記載のシャントキャップ。
【請求項３】
前記連結部は、
前記本体部側部分と前記第１湾曲部分との間に位置し、前記先端側を凸にして湾曲する第３湾曲部分を有することを特徴とする請求項２に記載のシャントキャップ。
【請求項４】
前記連結部は、
前記栓体部側部分と前記第２湾曲部分との間に位置し、前記先端側を凸にして湾曲する第４湾曲部分を有することを特徴とする請求項２又は３に記載のシャントキャップ。
【請求項５】
前記本体部側部分の延出方向は、前記本体部の管軸方向に対して４０〜６０°傾斜しており、
前記栓体部側部分の延出方向は、前記本体部の管軸方向に対して４０〜６０°傾斜していることを特徴とする請求項１〜４の何れか１項に記載のシャントキャップ。
【請求項６】
前記筒状部は、前記先端が挿入される挿入口を含み、
前記栓体部が前記先端から取り外された状態において、前記筒状部の前記挿入口は前記先端側に開口していることを特徴とする請求項１〜５の何れか１項に記載のシャントキャップ。
【請求項７】
前記筒状部の内側面及び前記先端の外側面には、互いに係合し前記管軸周りの前記栓体部の回転を規制するための凹凸嵌合部が形成されていることを特徴とする請求項１〜６の何れか１項に記載のシャントキャップ。
【請求項８】
前記本体部の外側面に設けられ、当該外側面と対向する挟持部材を更に備え、
前記挟持部材は、当該挟持部材の開閉操作時に前記本体部に向けて押される開閉操作部を有し、
前記開閉操作部は、
前記本体部の管軸方向において、前記基端よりも前記先端側に位置することを特徴とする請求項１〜６の何れか１項に記載のシャントキャップ。
【請求項９】
前記開閉操作部は、開閉操作時に押す方向に対して直交する押下面を有することを特徴とする請求項８に記載のシャントキャップ。
【請求項１０】
前記挟持部材は、
挟持対象物の挿入方向に対して前記先端側に向くように傾斜し当該挟持対象物をガイドする挿入ガイド面を有することを特徴とする請求項８又は９に記載のシャントキャップ。
【請求項１１】
前記本体部と、前記栓体部と、前記連結部とが一体に成形されていることを特徴とする請求項１〜１０の何れか１項に記載のシャントキャップ。
【請求項１２】
チューブの終端部に取り付けられるシャントキャップであって、
基端が前記チューブの前記終端部に接続されると共に、前記チューブに連通する管状の本体部と、
前記本体部の先端を包囲する筒状部を有し、前記先端に取り付けられる栓体部と、
前記本体部の外側面と前記筒状部の外側面とを連結する連結部と、を備え、
前記連結部は、
前記本体部の外側面から前記先端側に傾斜して延出した本体部側部分と、
前記栓体部の前記筒状部の外側面から前記基端側に傾斜して延出した栓体部側部分と、
前記本体部側部分と前記栓体部側部分とを接続する中間接続部と、を有し、
前記中間接続部は、
前記本体部側部分に接続され前記基端側を凸にして湾曲する基端側部分と、前記栓体部側部分に接続され前記先端側を凸にして湾曲する先端側部分と、を含むことを特徴とするシャントキャップ。
【発明の詳細な説明】
【技術分野】
【０００１】
本発明は、シャントキャップに関するものである。
【背景技術】
【０００２】
従来、このような分野の技術として、下記特許文献１に記載のシャントキャップが知られている。このシャントキャップは、プラスチック材料からなり、筒状の本体部と、当該本体部の先端に取り付けられる栓体部と、本体部と栓体部とを連結する連結部とを備え、本体部と栓体部と連結部とは一体に成形されている。
【先行技術文献】
【特許文献】
【０００３】
【特許文献１】特開２０１０−２７９４９４号公報
【発明の概要】
【発明が解決しようとする課題】
【０００４】
この種のシャントキャップにおいては、栓体部を本体部の先端に取り付けたとき、強制的に曲げられた連結部の一部に過度の応力が発生する場合があり、連結部の一部にプラスチック材料の白化現象が発生する可能性がある。
【０００５】
本発明は、本体部と栓体部とを連結する連結部の白化を抑制することができるシャントキャップを提供することを目的とする。
【課題を解決するための手段】
【０００６】
本発明のシャントキャップは、チューブの終端部に取り付けられるシャントキャップであって、基端が終端部に接続されると共に、チューブに連通する管状の本体部と、本体部の先端を包囲する筒状部を有し、当該先端に取り付けられる栓体部と、本体部の外側面と筒状部の外側面とを連結する連結部と、を備え、栓体部が先端から取り外され、本体部の管軸と筒状部の筒軸とが平行になるように配置された状態において、連結部は、本体部の外側面から先端側に傾斜して延出した本体部側部分と、栓体部の筒状部の外側面から先端側に傾斜して延出した栓体部側部分と、本体部側部分と栓体部側部分との間に位置し、基端側を凸にして湾曲する中間湾曲部分と、を有することを特徴とする。
【０００７】
上記シャントキャップでは、連結部が上記のような形状であるので、栓体部が本体部の先端に取り付けられるときに、曲げ変形する連結部に発生する曲げ応力が分散され易い。よって、連結部の一部位に曲げ応力が集中することが避けられ、連結部の白化を抑制することができる。
【０００８】
また、連結部は、本体部側部分と中間湾曲部分との間に位置し、基端側を凸にして中間湾曲部分よりも小さい曲率半径で湾曲する第１湾曲部分と、栓体部側部分と中間湾曲部分との間に位置し、基端側を凸にして中間湾曲部分よりも小さい曲率半径で湾曲する第２湾曲部分と、を有することとしてもよい。このような構成も、連結部に発生する曲げ応力の分散に寄与する。
【０００９】
また、連結部は、本体部側部分と第１湾曲部分との間に位置し、先端側を凸にして湾曲する第３湾曲部分を有することとしてもよい。このような構成も、連結部に発生する曲げ応力の分散に寄与する。
【００１０】
また、連結部は、栓体部側部分と第２湾曲部分との間に位置し、先端側を凸にして湾曲する第４湾曲部分を有することとしてもよい。このような構成も、連結部に発生する曲げ応力の分散に寄与する。
【００１１】
また、本体部側部分の延出方向は、本体部の管軸方向に対して４０〜６０°傾斜しており、栓体部側部分の延出方向は、本体部の管軸方向に対して４０〜６０°傾斜していることとしてもよい。この構成によれば、上記の作用効果が効果的に奏される。
【００１２】
また、筒状部は、先端が挿入される挿入口を含み、栓体部が先端から取り外された状態において、筒状部の挿入口は先端側に開口していることとしてもよい。
【００１３】
また、筒状部の内側面及び先端の外側面には、互いに係合し管軸周りの栓体部の回転を規制するための凹凸嵌合部が形成されていることとしてもよい。この構成によれば凹凸嵌合部により、栓体部の管軸周りの回転が規制されるので、連結部が捩れることが避けられる。その結果、連結部に捩り応力が発生することが避けられ、白化の抑制効果が向上される。
【００１４】
また、本発明のシャントキャップは、本体部の外側面に設けられ、当該外側面と対向する挟持部材を更に備え、挟持部材は、当該挟持部材の開閉操作時に本体部に向けて押される開閉操作部を有し、開閉操作部は、本体部の管軸方向において、基端よりも先端側に位置することとしてもよい。この構成によれば、挟持部材の開閉操作時に、ユーザの指が基端やチューブの終端部に容易に接触しにくく、終端部の清潔性を維持することができる。また、開閉操作部は、開閉操作時に押す方向に対して直交する押下面を有することとしてもよい。
【００１５】
また、挟持部材は、挟持対象物の挿入方向に対して前記先端側に向くように傾斜し当該挟持対象物をガイドする挿入ガイド面を有することとしてもよい。この構成によれば、挟持対象物が挿入ガイド面に案内されながら円滑に挟持部材に挿入される。
【００１６】
また、本体部と、栓体部と、連結部とが一体に成形されていることとしてもよい。
【００１７】
本発明のシャントキャップは、チューブの終端部に取り付けられるシャントキャップであって、基端がチューブの終端部に接続されると共に、チューブに連通する管状の本体部と、本体部の先端を包囲する筒状部を有し、先端に取り付けられる栓体部と、本体部の外側面と筒状部の外側面とを連結する連結部と、を備え、連結部は、本体部の外側面から先端側に傾斜して延出した本体部側部分と、栓体部の筒状部の外側面から基端側に傾斜して延出した栓体部側部分と、本体部側部分と栓体部側部分とを接続する中間接続部と、を有し、中間接続部は、本体部側部分に接続され基端側を凸にして湾曲する基端側部分と、栓体部側部分に接続され先端側を凸にして湾曲する先端側部分と、を含むことを特徴とする。
【発明の効果】
【００１８】
本発明によれば、本体部と栓体部とを連結する連結部の白化を抑制することができるシャントキャップを提供することができる。
【図面の簡単な説明】
【００１９】
【図１】本発明のシャントキャップが適用される血液浄化装置の一例を示す斜視図である。
【図２】本発明のシャントキャップを含む血液回路の一例を示す斜視図である。
【図３】本発明のシャントキャップの一例を示す斜視図である。
【図４】図３のシャントキャップを示す正面図である。
【図５】図３のシャントキャップを示す側面図である。
【図６】図３のシャントキャップの連結部を拡大して示す正面図である。
【図７】図３のシャントキャップの第２状態を示す正面図である。
【図８】図７のシャントキャップの使用状態を示す正面図である。
【発明を実施するための形態】
【００２０】
以下、図面を参照しつつ本発明に係るシャントキャップの実施形態について詳細に説明する。最初に、図１及び図２を参照して本実施形態のシャントキャップが適用される血液浄化装置について説明する。
【００２１】
血液浄化装置１では、各種の治療モードに対応可能な二面式を採用しており、正面側の回路装着部１１には血液系パネル回路が装着され、右扉１２を開放すると現れる右面側の回路装着部（図示省略）には液系パネル回路が装着される。例えば、病因物質を体外循環によって血中から取り除く技術であるアフェレシスモードでは、血液系のパネル回路が正面側の回路装着部１１に装着され、右面側の回路装着部には血漿系のパネル回路が装着される。また、腹水モードでは、濾過系のパネル回路が正面側に装着され、濃縮系のパネル回路が右面側に装着される。
【００２２】
以下、図２を参照し、液体回路（例えば、透析用回路）の一例として持続緩徐式血液濾過療法（ＣＲＲＴ）に用いられる血液パネル回路２を説明する。ＣＲＲＴは、急性期の腎不全治療等のための長時間かつ緩やかな体液調整療法である。ＣＲＲＴでは、血液を血液ろ過器にて浄化処理し、処理後の血液に対して適宜に補液を加えた後に、循環させる循環回路を構成する必要がある。
【００２３】
血液パネル回路（以下、「血液回路」という）２は、血液を血液ろ過器に送り込む上流側のライン（以下、「動脈ライン」という）２１と、血液ろ過器で浄化処理された血液が流動する下流側のライン（以下、「静脈ライン」という）２２とを備えている。
【００２４】
動脈ライン２１、及び静脈ライン２２は、基本的に塩化ビニル製のチューブ２ａからなり、動脈ライン２１、及び静脈ライン２２は、逆Ｌ字状のパネル２ｂによって一体化されている。また、動脈ライン２１には、血液ポンプ１３（図１参照）に設置される血液ポンプチューブ２４を挟んだ二か所にエアフリー圧力チャンバー（以下、「圧力チャンバー」という）３が配置されている。一方の圧力チャンバー３は、脱血側でチューブ２ａに接続され、他方の圧力チャンバー３は、血液ろ過器側となる入口側でチューブ２ａに接続されている。
【００２５】
図１に示されるように、血液浄化装置１の正面側の回路装着部１１には、血液ろ過器のホルダー１４や血液ポンプ１３などが取り付けられている。また、回路装着部１１には、血液回路２の圧力チャンバー３が装着されるチャンバー装着部１５が設けられている。チャンバー装着部１５の受圧口１６は、血液回路２の内圧を検出する圧力センサー（図示省略）に連通している。
【００２６】
チューブ２ａの終端部２ｃは、最終的にシャント部に接続される部位であるので、清潔性を維持する必要がある。そこで、例えば治療の準備作業中において作業者等が終端部２ｃに容易に接触しないように、各終端部２ｃにはシャントキャップ３０が装着されている。具体的には、図２に示されるように、動脈ライン２１及び静脈ライン２２のチューブ２ａの終端部２ｃに設けられた雄コネクタ２ｅがシャントキャップ３０の本体部３１内に挿入され、雄コネクタ２ｅを囲むスピンロック２ｄがシャントキャップ３０の基端側雄ネジ部３１ｆと螺合することで、シャントキャップ３０がそれぞれ取り付けられている。
【００２７】
続いて、図３〜図８を参照し、シャントキャップ３０の構成について更に詳細に説明する。
【００２８】
シャントキャップ３０は、例えば、ポリプロピレン等の樹脂材料からなり、例えば射出成型によって成形されている。シャントキャップ３０は、チューブ２ａに連通する中空部を有する円管状の本体部３１と、本体部３１の先端３１ａに取り付けられる栓体部３３と、本体部３１と栓体部３３とを連結する連結部３５と、を備えている。本体部３１と、栓体部３３と、連結部３５とが、上記のとおり射出成型等により一体に成形されている。連結部３５がある程度の剛性を有することで図３〜図６等に示すシャントキャップ３０の形状が自立して維持されるが、連結部３５は人の手で容易に曲げることができる。
【００２９】
ここで、図３〜図６は、本体部３１から栓体部３３が取り外されている状態のシャントキャップ３０を示している。射出成型等による成形直後のシャントキャップ３０も、図３〜図６の状態となる。これに対し、図７及び図８は、本体部３１に栓体部３３が取り付けられた状態を示している。以下、両者を区別する場合には、図３〜図６の状態を第１状態、図７及び図８の状態を第２状態と称する。
【００３０】
また、以下において、「前方」、「後方」等の、前後の概念を持つ文言を説明に用いる場合には、本体部３１の管軸Ａ１の延在方向を前後方向とし、本体部３１の先端３１ａ側を「前」、基端３１ｂ側を「後」とする。また、上下の概念を持つ文言を説明に用いる場合には、図３に示す状態のシャントキャップ３０の上下に対応させるものとする。
【００３１】
本体部３１の基端３１ｂには雄ネジ部３１ｆが形成されており、当該雄ネジ部３１ｆがスピンロック２ｄ（図２）に螺合することで、本体部３１の基端３１ｂがチューブ２ａの終端部２ｃに接続される。また、本体部３１の先端３１ａにも雄ネジ部３１ｆが形成されており、本体部３１の先端３１ａをスピンロック２ｄに螺合することも可能である。この構成によれば、例えば、動脈ライン２１側又は静脈ライン２２側の何れか一方のシャントキャップ３０をチューブ２ａの終端部２ｃから取り去り、その終端部２ｃに設けられたスピンロック２ｄに他方のシャントキャップ３０の先端３１ａを螺合することで、動脈ライン２１と静脈ライン２２とを短絡させることができる。このような短絡は、血液回路２のプライミング処理において必要になる場合がある。
【００３２】
また、上記の短絡の際に、本体部３１の先端３１ａがチューブ２ａの終端部２ｃに接触することになるので、本体部３１の先端３１ａの清潔性を維持する必要がある。そこで、例えば治療の準備作業中において作業者等が本体部３１の先端３１ａに容易に接触しないように、第２状態として、先端３１ａには栓体部３３が装着される（図７参照）。
【００３３】
具体的には、栓体部３３は、第２状態においては、図７等に示されるように本体部３１の先端３１ａに嵌め込まれる。栓体部３３は先端３１ａを包囲する円筒形状の筒状部３３ｈを有しており、筒状部３３ｈは先端３１ａが挿入される挿入口３３ｋを有している。連結部３５は、本体部３１の外側面３１ｓと筒状部３３ｈの外側面３３ｓとを連結している。
【００３４】
筒状部３３ｈの内側面には、径方向内側に突出すると共に前後方向に延びる凸条部３３ｊが上下２箇所に形成されている。この凸条部３３ｊに対応する位置において、本体部３１の外側面に形成された雄ネジ部３１ｆには、上下２箇所に円周方向に切欠き３１ｊが形成されている。この構成によって、第２状態においては、凸条部３３ｊが切欠き３１ｊに嵌り込み、栓体部３３と本体部３１との管軸Ａ１周りの相対的な回転が規制される。このように、凸条部３３ｊと雄ネジ部３１ｆとが、互いに係合する凹凸嵌合部を構成する。
【００３５】
図３〜図６に示されるように、シャントキャップ３０の成形直後など、第１状態においては、本体部３１の管軸Ａ１と筒状部３３ｈの筒軸Ａ３とが平行になる。また、第１状態においては、管軸Ａ１と筒軸Ａ３とを含む平面に沿って、連結部３５が存在している。また、第１状態においては、栓体部３３の挿入口３３ｋは前方に開口している。
【００３６】
次に、図６を参照しながら第１状態における連結部３５の形状について説明する。
【００３７】
図６は、管軸Ａ１と筒軸Ａ３とを含む平面に直交する方向から見た連結部３５を示す正面図である。第１状態における連結部３５は、図６中の一点鎖線で分けられる７つの部分を有し、上下対称の形状をなしている。連結部３５は、本体部３１の外側面３１ｓから斜め前方に傾斜して直線状に延出した本体部側部分４１と、栓体部３３の筒状部３３ｈの外側面３３ｓから斜め前方に傾斜して直線状に延出した栓体部側部分４３と、を有している。
【００３８】
本体部側部分４１の延出方向Ａ４１は、本体部３１の管軸方向（図中のＡ１’）に対して４０〜６０°傾斜している。すなわち、本体部側部分４１の延出方向Ａ４１と管軸方向Ａ１’とがなす角度αが、４０〜６０°である。栓体部側部分４３の延出方向Ａ４３は、本体部３１の管軸方向Ａ１’に対して４０〜６０°傾斜している。すなわち、栓体部側部分４３の延出方向Ａ４３と管軸方向Ａ１’とがなす角度βが、４０〜６０°である。
【００３９】
更に、連結部３５は、本体部側部分４１と栓体部側部分４３との間に位置し、後方側を凸にして湾曲する中間湾曲部分４５を備えている。中間湾曲部分４５は、外側面３１ｓと外側面３３ｓとの中間の位置に配置されている。
【００４０】
更に、連結部３５は、本体部側部分４１と中間湾曲部分４５との間に位置し、後方側を凸にして湾曲する第１湾曲部分５１を有している。また、栓体部側部分４３と中間湾曲部分４５との間に位置し、後方側を凸にして湾曲する第２湾曲部分５２を有している。第１湾曲部分５１及び第２湾曲部分５２の湾曲の曲率半径は、中間湾曲部分４５の曲率半径よりも小さい。
【００４１】
更に連結部３５は、本体部側部分４１と第１湾曲部分５１との間に位置し、前方側を凸にして湾曲する第３湾曲部分５３を有している。また、連結部３５は、栓体部側部分４３と第２湾曲部分５２との間に位置し、前方側を凸にして湾曲する第４湾曲部分５４を有する。以上のように連結部３５は、５つの湾曲部分４５，５１，５２，５３，５４を含んで構成されている。
【００４２】
次に、図７を参照しながら、第２状態における連結部３５の形状について説明する。
【００４３】
第１状態から第２状態に移行するためには、管軸Ａ１と筒軸Ａ３とを含む平面内で栓体部３３を１８０°回転させ、栓体部３３を本体部３１の先端３１ａに嵌め込む。このとき連結部３５は上記平面内で曲げ変形し、連結部３５の各部には残留応力が存在する状態となる。第２状態においても、管軸Ａ１と筒軸Ａ３とを含む平面に沿って、連結部３５が存在している。
【００４４】
第２状態における変形後の連結部３５は、本体部３１の外側面３１ｓから前方側に傾斜して延出した本体部側部分４１と、栓体部３３の筒状部３３ｈの外側面３３ｓから後方側に傾斜して延出した栓体部側部分４３とを有している。また、連結部３５は、本体部側部分４１と栓体部側部分４３とを接続する中間接続部６０を有している。中間接続部６０は、本体部側部分４１に接続され後方側を凸にして湾曲する基端側部分６１と、栓体部側部分４３から延び前記先端側を凸にして湾曲する先端側部分６２と、を含んでいる。以上のように、第２状態における連結部３５は、図７中の一点鎖線で分けられる上記の４つの部分を有し、前後対称の形状をなしている。
【００４５】
続いて、シャントキャップ３０を固定するためのクリップ構造について説明する。
【００４６】
図３、図７及び図８に示すように、シャントキャップ３０は、本体部３１の外側面３１ｓの上面側に設けられ、当該外側面３１ｓと対向する挟持部材７１を備えている。また、本体部３１の外側面３１ｓ上には、挟持部材７１に対向して筒軸方向に延びる固定挟持部７２が上面側に形成されている。挟持部材７１と固定挟持部７２との間に所定の挟持対象物を挟み込むことができるようになっている。換言すれば、挟持部材７１及び固定挟持部７２は、固定された所定の対象物を挟持することでシャントキャップ３０を上記対象物に固定するためのクリップ構造を構成する。
【００４７】
挟持部材７１は、本体部３１側に向けて押下げられる開閉操作部７１ａを有しており、ユーザは、この開閉操作部７１ａを本体部３１に向けて押下げることで、挟持部材７１を弾性変形させ挟持部材７１の前端と固定挟持部７２との間を開閉することができる。そして、挟持部材７１の前部と固定挟持部７２との間に挟持対象物を挟み込むことができる。このような開閉操作部７１ａの押下げ動作を容易にするため、開閉操作部７１ａは、その押下げ方向に直交する押下面７１ｂを有している。また、この押下面７１ｂの下方において、本体部３１の外側面３１ｓの下面側に、支持面７３が設けられている。ユーザは、押下面７１ｂと支持面７３とを指で挟む動作により、挟持部材７１の開閉操作を行うことができる。
【００４８】
そして、上記のような押下面７１ｂ及び支持面７３は、基端３１ｂよりも前方側に位置している。この構成により、シャントキャップ３０がチューブ２ａに装着された際に、押下面７１ｂ及び支持面７３は、チューブ２ａの終端部２ｃ（図２）よりも前方に位置することになる。従って、この状態から挟持部材７１の開閉操作を行う際に、ユーザの指が基端３１ｂやチューブ２ａの終端部２ｃに容易に接触しにくく、終端部２ｃの清潔性を維持することができる。また、ユーザの指は押下面７１ｂと支持面７３に触れるのみで、シャントキャップ３０の基端３１ｂに螺合されるスピンロック２ｄに触れることがない。よって、誤ってスピンロック２ｄを弛めてしまい、シャントキャップ３０がチューブ２ａから外れてしまうことを抑制できる。
【００４９】
図８に示されるように、シャントキャップ３０は、挟持部材７１によってバケツ７５の縁部７５ａに引掛けられ固定される。このようなシャントキャップ３０の固定は、例えば、血液回路２（図２）のプライミング処理時に必要になる場合がある。すなわち、プライミング処理時には、図８のようにバケツ７５にシャントキャップ３０を固定し、シャントキャップ３０から排出される生理食塩水等をバケツ７５に直接廃棄する。なお、栓体部３３の前端面には貫通孔３３ｐ（図２参照）が設けられており、この貫通孔３３ｐを通じて血液回路２中の生理食塩水等が排出される。
【００５０】
このようにシャントキャップ３０をバケツ７５に固定する際には、挟持部材７１と固定挟持部７２との間に、前方からバケツ７５の縁部７５ａが挿入される。挟持部材７１の前端には、縁部７５ａの挿入方向に対し斜め下前方に向けて傾斜する傾斜面（挿入ガイド面）７１ｅが形成されている。従って、バケツ７５にシャントキャップ３０を固定する際には、バケツ７５の縁部７５ａが、傾斜面７１ｅに案内されながら円滑に挟持部材７１と固定挟持部７２との間に挿入される。なお、同様の目的で、固定挟持部７２の前端にも傾斜面７２ｅが形成されている。よって、プライミング処理時にシャントキャップ３０をバケツ７５に固定する作業を容易にすることができる。
【００５１】
続いて、上記シャントキャップ３０による作用効果について説明する。
【００５２】
上述したシャントキャップ３０の連結部３５は、第１状態において、本体部３１から斜め前方に延出した本体部側部分４１と、栓体部３３のから斜め前方に傾斜して延出した栓体部側部分４３と、本体部側部分４１と栓体部側部分４３との間に位置し、後方側を凸にして湾曲する中間湾曲部分４５と、を有している。このような形状によれば、第２状態に移行する場合に、曲げ変形する連結部３５に発生する曲げ応力が分散され易い。よって、連結部３５の一部位に曲げ応力が集中することが避けられ、連結部３５の白化を抑制することができる。また、角度α（図６）が４０〜６０°であり、角度β（図６）が４０〜６０°であれば、上記の作用効果が効果的に奏される。
【００５３】
また、連結部３５が、前述のような中間湾曲部分４５よりも小さい曲率半径の第１湾曲部分５１及び第２湾曲部分５２と、を有する構成も、連結部３５に発生する応力の分散に寄与する。また、連結部３５が、前述のような本体部側部分４１と第１湾曲部分５１との間の第３湾曲部分５３を有する構成も、連結部３５に発生する曲げ応力の分散に寄与する。また、連結部３５が、前述のような栓体部側部分４３と第２湾曲部分５２との間の第４湾曲部分５４を有する構成も、連結部３５に発生する曲げ応力の分散に寄与する。
【００５４】
また、第１状態から第２状態に移行するときに、管軸Ａ１と筒軸Ａ３とを含む平面内で栓体部３３を１８０°回転させ、栓体部３３を本体部３１の先端３１ａに嵌め込む。このとき、凸条部３３ｊと雄ネジ部３１ｆとが凹凸嵌合し、栓体部３３の管軸Ａ１周りの回転が規制されるので、連結部３５が捩れることが避けられる。その結果、連結部３５に捩り応力が発生することが避けられ、白化の抑制効果が向上される。
【００５５】
以上、本発明の一実施形態について説明したが、本発明は、上記実施形態に限られるものではなく、各請求項に記載した要旨を変更しない範囲で変形したものであってもよい。
【符号の説明】
【００５６】
２ａ…チューブ、２ｃ…終端部、３０…シャントキャップ、３１…本体部、３１ａ…先端、３１ｂ…基端、３１ｆ…雄ネジ部（凹凸嵌合部）、３１ｓ…外側面、３３…栓体部、３３ｈ…筒状部、３３ｋ…挿入口、３３ｓ…外側面、３３ｊ…凸条部（凹凸嵌合部）、３５…連結部、４１…本体部側部分、４３…栓体部側部分、４５…中間湾曲部分、５１…第１湾曲部分、５２…第２湾曲部分、５３…第３湾曲部分、５４…第４湾曲部分、６０…中間接続部、６１…基端側部分、６２…先端側部分、７１…挟持部材、７１ａ…開閉操作部、７１ｂ…押下面、７１ｅ…傾斜面（挿入ガイド面）、７５…バケツ（挟持対象物）、７５ａ…バケツの縁部、Ａ１…管軸、Ａ３…筒軸。
【図１】
2015073829.tif 000003
【図２】
2015073829.tif 000004
【図３】
2015073829.tif 000005
【図４】
2015073829.tif 000006
【図５】
2015073829.tif 000007
【図６】
2015073829.tif 000008
【図７】
2015073829.tif 000009
【図８】
2015073829.tif 000010